(57)【要約】【課題】  装置の構造を簡易にすることができる平面型ディスプレイパネルの点灯安定化処理装置およびその方法を提供することを目的とする。【解決手段】  データ電極への電圧の印加が必須である検査処理ではデータ用電極把持部材３４、データ電極用のショートバー３５、データ電源用の電源基板３６をトレイに取り付けてデータ電極に電気的に接続して行い、データ電極への電圧の印加が必須でないエージング処理ではデータ用電極把持部材３４、ショートバー３５、電源基板３６をトレイから外して行うように構成している。したがって、全てのトレイにこれらを備える必要がなく、検査処理のときのみこれらを取り付ければよい。その結果、これらを省略することができて、その省略分だけ装置の構造を簡易にすることができる。【選択図】        図４
2006127827.tif 000002
【特許請求の範囲】
【請求項１】
複数枚の基板を貼り合わせて形成され、貼り合わされた基板のすきまに配設された蛍光体から発光させて点灯させる平面型ディスプレイパネルに対して、その全面に所定期間点灯させることで、平面型ディスプレイパネルの点灯の安定化処理を行う平面型ディスプレイパネルの点灯安定化処理装置であって、
点灯安定化処理と、点灯安定処理前あるいは後に平面型ディスプレイパネルの検査を行う検査処理とを行うために互いに区画された各処理部の間で移動可能に構成された、前記パネルを載置する複数のトレイと、
点灯安定化処理部と検査処理部との間で前記各トレイが移動するように構成されたトレイ移動手段とを備えるとともに、
各トレイは、
点灯安定化処理においてパネルの全面を点灯させる走査電極に電気的に接続された走査電極用印加手段を固定して備え、
検査処理において指定された領域を点灯させるデータ電極に電気的に接続されたデータ電極用印加手段をトレイに対して着脱自在にそれぞれ構成しており、
検査処理では前記データ電極用印加手段をトレイに取り付けてデータ電極に電気的に接続して行い、点灯安定化処理ではデータ電極用印加手段をトレイから外して行うように構成することを特徴とする平面型ディスプレイパネルの点灯安定化処理装置。
【請求項２】
請求項１に記載の平面型ディスプレイパネルの点灯安定化処理装置において、
前記データ電極用印加手段は、
前記データ電極に対して水平面内で直交して構成され、データ電極に接触することで電気的に接続されたデータ用電極群と、
そのデータ用電極群に電気的に接続されたデータ電源とを備え、
前記各トレイは、
前記データ用電極群を固定して備え、
前記データ電源をトレイに対して着脱自在にそれぞれ構成しており、
検査処理ではデータ電源をトレイに取り付けてデータ電極に電気的に接続して行い、点灯安定化処理ではデータ電源をトレイから外して行うように構成することを特徴とする平面型ディスプレイの点灯安定化処理装置。
【請求項３】
請求項１に記載の平面型ディスプレイパネルの点灯安定化処理装置において、
前記データ電極用印加手段は、
前記データ電極に対して水平面内で直交して構成され、データ電極に接触することで電気的に接続されたデータ用電極群と、
そのデータ用電極群に電気的に接続されたデータ電源とを備え、
検査処理では前記データ用電極群およびデータ電源を前記トレイに対して着脱自在にそれぞれ構成しており、
検査処理ではデータ用電極群およびデータ電源をトレイに取り付けてデータ電極に電気的に接続して行い、点灯安定化処理ではデータ用電極群およびデータ電源をトレイから外して行うように構成することを特徴とする平面型ディスプレイパネルの点灯安定化処理装置。
【請求項４】
請求項１から請求項３のいずれかに記載の平面型ディスプレイパネルの点灯安定化処理装置において、
前記パネルは、複数枚の基板を貼り合わせて形成され、貼り合わされた基板のすきまにガスを封入して、そのすきまに電圧を印加することによって、プラズマ放電を発生させて点灯させるプラズマディスプレイパネルであることを特徴とする平面型ディスプレイパネルの点灯安定化処理装置。
【請求項５】
複数枚の基板を貼り合わせて形成され、貼り合わされた基板のすきまに配設された蛍光体から発光させて点灯させる平面型ディスプレイパネルに対して、その全面に所定期間点灯させることで、平面型ディスプレイパネルの点灯の安定化処理を行う平面型ディスプレイパネルの点灯安定化処理方法であって、
一連の点灯安定化処理では、点灯安定処理前あるいは後に平面型ディスプレイパネルの検査を行う検査処理を含み、
前記パネルをトレイに載置して、そのトレイを移動させて、点灯安定化処理および検査処理をそれぞれ行い、
点灯安定化処理においてパネルの全面を点灯させる走査電極に電気的に接続された走査電極用印加手段をトレイに固定して配設し、点灯安定化処理および検査処理をそれぞれ行い、
検査処理において指定された領域を点灯させるデータ電極に電気的に接続されたデータ電極用印加手段をトレイに対して着脱自在にそれぞれ構成し、
検査処理では前記データ電極用印加手段をトレイに取り付けてデータ電極に電気的に接続して行い、点灯安定化処理ではデータ電極用印加手段をトレイから外して行うことを特徴とする平面型ディスプレイパネルの点灯安定化処理方法。
【請求項６】
請求項５に記載の平面型ディスプレイパネルの点灯安定化処理方法において、
前記点灯安定処理前に前記検査処理を行うとともに、点灯安定化処理後に検査処理を再度に行うことを特徴とする平面型ディスプレイパネルの点灯安定化処理方法。
【発明の詳細な説明】
【技術分野】
【０００１】
本発明は、テレビなどの表示装置に用いられる平面型ディスプレイパネルに係り、特に、平面型ディスプレイパネルを全面にわたって所定期間点灯させることによってパネルの点灯の安定化処理（以下、適宜「エージング」と称する）を行うパネルのエージング技術に関する。
【背景技術】
【０００２】
平面型ディスプレイパネルとして、プラズマディスプレイパネル（以下、適宜「ＰＤＰ」と略記する）を例に採って説明する。プラズマディスプレイパネル（ＰＤＰ）は、複数枚の基板を貼り合わせて形成される。貼り合わされた基板のすきまにガスを封入して、そのすきまに電圧を印加することによって、プラズマ放電が発生する。そのプラズマ放電を利用して、ＰＤＰを点灯させるように構成されている。
【０００３】
通常ＰＤＰには、放電を発生させる走査電極と、ＰＤＰの領域（以下、適宜「セル」とする）を指定してその指定されたセルを点灯させるデータ電極（アドレス電極ともいう）とが配設されている。走査電極に電圧を印加してプラズマ放電を発生させるには、例えば２００Ｖ〜３００Ｖ程度の電圧が必要である。プラズマ放電が発生するのに必要な電圧はセルによってバラツキがあり、例えば２００Ｖ程度で放電して点灯するセルもあれば、２５０Ｖ程度になっても放電しないセルもある。特に、製造直後の新品のＰＤＰにおいて、上記現象は顕著に見られる。
【０００４】
そこでＰＤＰの製造工程が完了すると、走査電極に点灯用電源を一括に接続して、ＰＤＰを全面にわたって所定期間（例えば１２時間〜２４時間程度）点灯させることによってＰＤＰの点灯の安定化を行うエージング処理が行われる。すなわち、製造直後の新品のＰＤＰにおいて、プラズマ放電が発生するのに必要な電圧を、走査電極に一定期間にわたって印加し続けると、上記電圧は所定の電圧に収束する。この現象を利用してＰＤＰを全面にわたって所定期間点灯させると、点灯直後には上記電圧はセル毎にバラツキが見られるが、所定期間だけ経過すると全セルにおいて上記電圧は一様になる。その結果、上記エージング処理を行うことによって、ＰＤＰの点灯の安定化を図ることができる（例えば、特許文献１参照）。
【０００５】
ところで、エージング処理では全面を点灯させる関係で走査電極が必須である。また、走査電極に電圧を印加するとデータ電極の電位が変位するので、データ電極側にも電圧を印加して電圧が接地電位あるいは電圧の半分程度などになるようにエージング処理時に強制的にコントロールしているのもあるが、通常のエージング処理ではデータ電極は必ずしも必須でない。いずれにしても、エージング処理では走査電極が必須となる。また、エージング処理前あるいはエージング処理後に、パネルの暗点や、走査電極あるいはデータ電極の断線をチェックするためにＰＤＰの検査を行う検査処理がある。この検査処理では、走査電極の他にデータ電極が必須となる。
【０００６】
この検査処理を含んだ一連のエージング処理では、図１に示すように、エージング処理部１と検査処理部２とに互いに区画されており、各処理部１，２でそれぞれの処理を行う。ここでは、検査処理はエージング処理前および後の両方で行うものとして説明する。
【０００７】
エージング処理では、上述したように例えば１２時間〜２４時間程度の時間で行う関係で、検査処理で処理可能なＰＤＰの枚数よりも多く（例えば６００枚程度）処理することができるようにエージング処理部１は区画されている。逆に、エージング処理前の検査処理およびエージング処理後の検査処理では、エージング処理よりも短い時間（例えば１分〜２分程度）で行う関係で、エージング処理で処理可能なＰＤＰの枚数よりも少なく（例えばエージング処理前の検査処理およびエージング処理後の検査処理で１枚ずつ）処理するように検査処理部２は区画されている。
【０００８】
また、ＰＤＰを載置するトレイ３をＰＤＰの枚数分だけ配設している。各々のトレイ３に、走査電極やデータ電極を印加するために長方形状のショートバーの電極群をそれぞれ配設している。走査電極に電圧を印加する場合には、走査電極に対して水平面内で直交して、走査電極用のショートバーを配設して、そのショートバーが走査電極に接触することで走査電極に電気的に接続する。データ電極に電圧を印加する場合にも、データ電極に対して水平面内で直交して、データ電極用のショートバーを配設して、そのショートバーがデータ電極に接触することでデータ電極に電気的に接続する。各ショートバーには電源やドライバ回路などを搭載した各電源基板を電気的にそれぞれ接続している。走査電極に電圧を印加する場合には、走査電源（点灯用電源）用の電源基板から走査電極用のショートバーを介して行い、データ電極に電圧を印加する場合には、データ電源用の電源基板からデータ電極用のショートバーを介して行う。
【０００９】
これらショートバーや電源基板を配設したトレイ３は、エージング処理部１と検査処理部２との間で移動可能に構成されている。具体的には、検査処理部２内を図１中の矢印の方向に移動するベルトコンベア４と、エージング処理部１内を図１中の矢印の方向に往復移動するマニピュレータ５とを配設する。
【００１０】
エージング処理前の検査処理では、ＰＤＰ１０を搬入して、空になったトレイ３にそのＰＤＰ１０を載置して、各ショートバーをＰＤＰ１０に電気的に接続してトレイ３に対してセッティングを行う。そして、所定の位置（図１中の処理位置２ａ）にベルトコンベア４がＰＤＰ１０とともにトレイ３を移動させてエージング処理前の検査処理を行う。
【００１１】
エージング処理前の検査処理が終了すれば、ベルトコンベア４が検査処理終了後のＰＤＰ１０とともにトレイ３を移動させて、マニピュレータ５がトレイ３をＰＤＰ１０とともに受け取る。空になったエージング処理部１のラックまでマニピュレータ５がＰＤＰ１０とともにトレイ３を移動させてエージング処理を行う。
【００１２】
エージング処理が終了すれば、マニピュレータ５がエージング処理終了後のＰＤＰ１０とともにトレイ３を移動させて、ベルトコンベア４にトレイ３をＰＤＰ１０とともに渡す。そして、所定の位置（図１中の処理位置２ｂ）にベルトコンベア４がＰＤＰ１０とともにトレイ３を移動させてエージング処理後の検査処理を行う。
【００１３】
エージング処理後の検査処理が終了すれば、ベルトコンベア４が検査処理終了後のＰＤＰ１０とともにトレイ３を移動させて、各ショートバーをＰＤＰ１０から取り外して、ＰＤＰ１０を搬出する。ＰＤＰ１０を搬出して空になったトレイ３をベルトコンベア４は循環させて、次にエージング処理前の検査処理を行うＰＤＰ１０の搬入位置にまでトレイ３を移動させる。
【００１４】
このようにして、ベルトコンベア４およびマニピュレータ５によって、エージング処理部１と検査処理部２との間でトレイ３がＰＤＰ１０とともに移動する。
【００１５】
なお、平面型ディスプレイパネルとしては、上述したＰＤＰ以外にも、無機ＥＬ（Electro Luminescence）のように、高い電界で加速された電子を衝突させることで蛍光体を発光させて点灯させるものや、表面伝導素子（Surface Conduction Electron Emitter）のように、分離された各電極間に電圧を印加して電子を放出させることで蛍光体を発光させて点灯ものがある（例えば、非特許文献１参照）。
【特許文献１】特開２００３−１８７７０２号公報（第２−３頁、図７）
【非特許文献１】内田龍男／内池平樹監修，「フラットパネルディスプレイ大事典」，初版，株式会社工業調査会，２００１年１２月２５日，ｐ．３１５−４０１，９７５−９７７
【発明の開示】
【発明が解決しようとする課題】
【００１６】
しかしながら、エージング処理部１と検査処理部２との間でトレイ３が移動して、エージング処理および検査処理をそれぞれ行うので、同じトレイ３にＰＤＰが載置された状態でエージング処理および検査処理が行われる。したがって、エージング処理ではデータ電極が必須でなくても、検査処理で必須であるデータ電極への電圧の印加を行うために、全てのトレイ３に、データ電極に電圧を印加するためにデータ電極用のショートバーやデータ電源用の電源基板を配設しなければならない。エージング処理の場合には、検査処理よりも多数のトレイが必要になるので、トレイの枚数分だけショートバーや電源基板を配設しなければならず装置の構造が煩雑になる。
【００１７】
本発明は、このような事情に鑑みてなされたものであって、装置の構造を簡易にすることができる平面型ディスプレイパネルの点灯安定化処理装置およびその方法を提供することを目的とする。
【課題を解決するための手段】
【００１８】
本発明は、このような目的を達成するために、次のような構成をとる。
すなわち、請求項１に記載の発明は、複数枚の基板を貼り合わせて形成され、貼り合わされた基板のすきまに配設された蛍光体から発光させて点灯させる平面型ディスプレイパネルに対して、その全面に所定期間点灯させることで、平面型ディスプレイパネルの点灯の安定化処理を行う平面型ディスプレイパネルの点灯安定化処理装置であって、点灯安定化処理と、点灯安定化処理前あるいは後に平面型ディスプレイパネルの検査を行う検査処理とを行うために互いに区画された各処理部の間で移動可能に構成された、前記パネルを載置する複数のトレイと、点灯安定化処理部と検査処理部との間で前記各トレイが移動するように構成されたトレイ移動手段とを備えるとともに、各トレイは、点灯安定化処理においてパネルの全面を点灯させる走査電極に電気的に接続された走査電極用印加手段を固定して備え、検査処理において指定された領域を点灯させるデータ電極に電気的に接続されたデータ電極用印加手段をトレイに対して着脱自在にそれぞれ構成しており、検査処理では前記データ電極用印加手段をトレイに取り付けてデータ電極に電気的に接続して行い、点灯安定化処理ではデータ電極用印加手段をトレイから外して行うように構成することを特徴とするものである。
【００１９】
［作用・効果］請求項１に記載の発明によれば、トレイ移動手段は、平面型ディスプレイパネルを載置するトレイを移動させて、点灯安定化処理および検査処理をそれぞれ行う。各トレイは、点灯安定化処理においてパネルの全面を点灯させる走査電極に電気的に接続された走査電極用印加手段を固定して備え、検査処理において指定された領域を点灯させるデータ電極に電気的に接続されたデータ電極用印加手段をトレイに対して着脱自在にそれぞれ構成している。そして、データ電極への電圧の印加が必須である検査処理ではデータ電極用印加手段をトレイに取り付けてデータ電極に電気的に接続して行い、データ電極への電圧の印加が必須でない安定化処理ではデータ電極用印加手段をトレイから外して行うように構成している。したがって、全てのトレイにデータ電極用印加手段を備える必要がなく、検査処理のときのみデータ電極用印加手段を取り付ければよい。その結果、データ電極用印加手段を省略することができて、その省略分だけ装置の構造を簡易にすることができる。
【００２０】
上述した発明において、上述したデータ電極用印加手段の一例は、データ電極に対して水平面内で直交して構成され、データ電極に接触することで電気的に接続されたデータ用電極群と、そのデータ用電極群に電気的に接続されたデータ電源とを備えたものがある。かかるデータ用電極群およびデータ電源を備えて構成されたデータ電極用印加手段に対して、以下のように構成することが挙げられる。
【００２１】
例えば、各トレイは、データ用電極群を固定して備え、データ電源をトレイに対して着脱自在にそれぞれ構成しており、検査処理ではデータ電源をトレイに取り付けてデータ電極に電気的に接続して行い、点灯安定化処理ではデータ電源をトレイから外して行うように構成する（請求項２に記載の発明）。このように構成する場合には、データ用電極群をトレイに固定した状態で点灯安定化処理や検査処理をそれぞれ行うことになる。したがって、点灯安定化処理ではデータ電源がない状態でデータ用電極群がトレイに固定されているので、データ電源のような信号電源とは相違した所定の値を有する電圧（例えば接地電位や走査電圧の半分の値の電圧）を、データ用電極群を介してデータ電極に強制的にバイアスすることができる。また、データ電源を省略することができて、その省略分だけ装置の構造を簡易にすることができる。
【００２２】
また、例えば、検査処理ではデータ用電極群およびデータ電源をトレイに対して着脱自在にそれぞれ構成しており、検査処理ではデータ用電極群およびデータ電源をトレイに取り付けてデータ電極に電気的に接続して行い、点灯安定化処理ではデータ用電極群およびデータ電源をトレイから外して行うように構成する（請求項３に記載の発明）。このように構成する場合には、データ用電極群およびデータ電源を省略することができて、請求項２に記載の発明と比較すると装置の構造をより簡易にすることができる。
【００２３】
また、複数枚の基板を貼り合わせて形成され、貼り合わされた基板のすきまに配設された蛍光体から発光させて点灯させる平面型ディスプレイパネルであれば、本発明は適用することができる。平面型ディスプレイパネルの一例は、複数枚の基板を貼り合わせて形成され、貼り合わされた基板のすきまにガスを封入して、そのすきまに電圧を印加することによって、プラズマ放電を発生させて点灯させるプラズマディスプレイパネル（ＰＤＰ）である（請求項４に記載の発明）。
【００２４】
また、請求項５に記載の発明は、複数枚の基板を貼り合わせて形成され、貼り合わされた基板のすきまに配設された蛍光体から発光させて点灯させる平面型ディスプレイパネルに対して、その全面に所定期間点灯させることで、平面型ディスプレイパネルの点灯の安定化処理を行う平面型ディスプレイパネルの点灯安定化処理方法であって、一連の点灯安定化処理では、点灯安定化処理前あるいは後に平面型ディスプレイパネルの検査を行う検査処理を含み、前記パネルをトレイに載置して、そのトレイを移動させて、点灯安定化処理および検査処理をそれぞれ行い、点灯安定化処理においてパネルの全面を点灯させる走査電極に電気的に接続された走査電極用印加手段をトレイに固定して配設し、点灯安定化処理および検査処理をそれぞれ行い、検査処理において指定された領域を点灯させるデータ電極に電気的に接続されたデータ電極用印加手段をトレイに対して着脱自在にそれぞれ構成し、検査処理では前記データ電極用印加手段をトレイに取り付けてデータ電極に電気的に接続して行い、点灯安定化処理ではデータ電極用印加手段をトレイから外して行うことを特徴とするものである。
【００２５】
［作用・効果］請求項５に記載の発明によれば、パネルをトレイに載置して、そのトレイを移動させて、点灯安定化処理および検査処理をそれぞれ行う。具体的には、点灯安定化処理においてパネルの全面を点灯させる走査電極に電気的に接続された走査電極用印加手段をトレイに固定して配設し、点灯安定化処理および検査処理をそれぞれ行う。一方、検査処理において指定された領域を点灯させるデータ電極に電気的に接続されたデータ電極用印加手段をトレイに対して着脱自在にそれぞれ構成している。そして、データ電極への電圧の印加が必須である検査処理ではデータ電極用印加手段をトレイに取り付けてデータ電極に電気的に接続して行い、データ電極への電圧の印加が必須でない安定化処理ではデータ電極用印加手段をトレイから外して行う。したがって、全てのトレイにデータ電極用印加手段を備える必要がなく、検査処理のときのみデータ電極用印加手段を取り付ければよい。その結果、データ電極用印加手段を省略することができて、その省略分だけ装置の構造を簡易にすることができる。
【００２６】
一連の点灯安定化処理では、上述したように点灯安定化処理前あるいは後に検査処理を含むが、点灯安定化処理前または後の少なくともいずれかで検査処理を行えばよく、点灯安定化処理前にのみに検査処理を行ってもよいし、点灯安定化処理後にのみに検査処理を行ってもよい。一般的には、点灯安定化処理前に検査処理を行うとともに、点灯安定化処理後に検査処理を再度に行う（請求項６に記載の発明）。
【発明の効果】
【００２７】
本発明に係る平面型ディスプレイパネルの点灯安定化処理装置およびその方法によれば、データ電極への電圧の印加が必須である検査処理ではデータ電極用印加手段をトレイに取り付けてデータ電極に電気的に接続して行い、データ電極への電圧の印加が必須でない安定化処理ではデータ電極用印加手段をトレイから外して行う。したがって、全てのトレイにデータ電極用印加手段を備える必要がなく、検査処理のときのみデータ電極用印加手段を取り付ければよい。その結果、データ電極用印加手段を省略することができて、その省略分だけ装置の構造を簡易にすることができる。
【実施例】
【００２８】
以下、図面を参照して本発明の実施例を説明する。
図１は、実施例に係るプラズマディスプレイパネル（ＰＤＰ）の点灯安定化処理装置（エージング処理装置）のブロック図であり、図２は、ＰＤＰの各電極を模式的に示した平面図であり、図３は、ＰＤＰを載置するトレイの概略斜視図であり、図４（ａ）、図４（ｂ）は、データ用電極把持部材、データ電極用のショートバー、データ電源用の電源基板の着脱状態を示す断面図であり、図５（ａ）は、走査用電極把持部材を拡大した断面図であり、図５（ｂ）は、データ用電極把持部材を拡大した断面図である。また、本実施例では、平面型ディスプレイパネルとして、プラズマディスプレイパネル（ＰＤＰ）を例に採って説明する。
【００２９】
実施例装置は、エージング処理前にパネルの暗点や、走査電極１３あるいはデータ電極１４の断線をチェックするためにＰＤＰ１０の検査を行う検査処理を一連のエージング処理に含み、同様の検査処理をエージング処理後に再度に行うように構成されている。すなわち、これらの検査処理を含んだ一連のエージング処理では、図１に示すように、エージング処理部１と検査処理部２とに互いに区画されており、各処理部１，２でそれぞれの処理を行う。
【００３０】
エージング処理部１は、互いに区画された複数（例えば６００台程度）のラックを配設しており、ＰＤＰ１０を載置するトレイ３が各ラックにセッティングされてエージング処理が行われる。一方、検査処理部２は、エージング処理前の検査処理を専ら行う処理位置２ａとエージング処理後の検査処理を専ら行う処理位置２ｂとに区画されている。
【００３１】
なお、トレイ３は、ＰＤＰ１０の枚数分だけ配設されている。トレイ３は、エージング処理部１と検査処理部２との間で移動可能に構成されている。具体的には、検査処理部２内を図１中の矢印の方向に移動するベルトコンベア４と、エージング処理部１内を図１中の矢印の方向に往復移動するマニピュレータ５とを配設する。トレイ３は、本発明におけるトレイに相当し、ベルトコンベア４およびマニピュレータ５は、本発明におけるトレイ移動手段に相当する。本実施例では、ベルトコンベア４とマニピュレータ５とに分けてトレイ移動手段を構成したが、１つの手段でまとめてもよい。
【００３２】
また、図１に示すように、各処理位置２ａ，２ｂにおいて検査で不合格になったＰＤＰ１０を回収する（図１中では『ＮＧ』で示す）回収部を処理位置２ａ，２ｂの間に設けてもよい。
【００３３】
ＰＤＰ１０は、図２に示すように、前面基板１１および背面基板１２を貼り合わせて形成されている。前面基板１１は、例えばガラスなどから形成されており、背面基板１２は前面基板１１と同じ物質から形成されている。
【００３４】
前面基板１１の下面には、Ｘ電極１３ａ，Ｙ電極１３ｂからなる走査電極１３、図示を省略する透明誘電体層、保護層が上から順に積層されている。走査電極１３は、例えばＩＴＯ膜（イソジウムとスズとの合金酸化膜）またはＳｎＯ2（酸化スズ膜）などによって形成され、透明誘電体層、例えば低融点のガラスのペーストなどによって形成され、保護層は、例えばＭｇＯ（酸化マグネシウム）などによって形成されている。保護層は、走査電極１３がプラズマに直に晒されないように保護するための層である。
【００３５】
背面基板１２の上面には、データ電極１４、図示を省略する『リブ』と呼ばれる隔壁が上から順に積層されている。データ電極１４は走査電極１３に直交するように積層されている。また、隣接する隔壁に囲まれた各溝は各データ電極１４の真上に位置するように積層されている。上述した溝には、蛍光体から形成される蛍光層（図示省略）が隔壁に沿ってそれぞれ積層されている。データ電極１４は、例えばＡｇ（銀）のペーストまたはＡｌなどによって形成され、隔壁は、例えばＲｕＯ2 （酸化ルテシウム）のペースト、または低融点のガラスとアルミナなどの金属酸化物との混合物などによって形成されている。
【００３６】
また、ＰＤＰ１０がカラーの場合には、蛍光層は、Ｒ(Red)，Ｇ(Green)，Ｂ(Blue)の３色の蛍光体が規則的に隔壁ごとに配設されている。上述した蛍光体は図示を省略する『母体』と『発光センタ』とから形成されており、プラズマ放電によって発生する紫外線によって、上述した母体が電離して発光センタに母体が衝突する。母体の衝突によって発光センタが励起して、励起した発光センタが基底状態に戻る際に、可視光が発生して、ＰＤＰ１０の表面にその可視光が透過してＰＤＰ１０の表面から点灯される。
【００３７】
トレイ３は、図３〜図５に示すように、走査用電極把持部材３１、走査電極用のショートバー３２、走査電源（点灯用電源）用の電源基板３３を固定して備えている。また、ＰＤＰ１０やトレイ３に対して、データ用電極把持部材３４、データ電極用のショートバー３５、データ電源用の電源基板３６が着脱自在に構成されている。図３では、走査用電極把持部材３１、走査電源用の電源基板３３、データ用電極把持部材３４、データ電源用の電源基板３６の図示を省略する。走査用電極把持部材３１、走査電極用のショートバー３２、走査電源用の電源基板３３は、本発明における走査電極用印加手段に相当し、データ用電極把持部材３４、データ電極用のショートバー３５、データ電源用の電源基板３６は、本発明におけるデータ電極用印加手段に相当する。また、データ電極用のショートバー３５は、本発明におけるデータ用電極群に相当し、データ電源用の電源基板３６は、本発明におけるデータ電源に相当する。
【００３８】
走査電極用のショートバー３２は、長方形状で形成され、走査電極１３に対して水平面内で直交して構成されている。このショートバー３２が走査電極１３に接触することで電気的に接続される。一方、データ電極用のショートバー３５も、長方形状で形成され、データ電極１４に対して水平面内で直交して構成されている。このショートバー３５がデータ電極１４に接触することで電気的に接続される。
【００３９】
走査電源用の電源基板３３は、走査電極１３に印加する電源やドライバ回路を搭載して形成されている。この電源基板３３を、図５（ａ）に示すように、走査電極用のショートバー３２に電気的に接続するように構成することで、ショートバー３２を介して走査電極１３に電圧を印加する。同様に、データ電源用の電源基板３６は、データ電源１４に印加する電源やドライバ回路を搭載して形成されている。この電源基板３６を、図４、図５（ｂ）に示すように、データ電極用のショートバー３５に電気的に接続するように構成することで、ショートバー３５を介してデータ電極１４に電圧を印加する。
【００４０】
走査用電極把持部材３１は、図５（ａ）に示すように、ＰＤＰ１０の前面基板１１を両側から把持して接触し、接触した際に走査電極用のショートバー３２と前面基板１１に配設された走査電極１３（図２を参照）とを電気的に接続させる。同様に、データ用電極把持部材３４は、図４、図５（ｂ）に示すように、ＰＤＰ１０の背面基板１２を両側から把持して接触し、接触した際にデータ電極用のショートバー３５と背面基板１２に配設されたデータ電極１４（図２を参照）とを電気的に接続させる。走査用電極把持部材３１は、下方から上方に向かって垂設されている。データ用電極把持部材３４は、データ用電極把持部材３４も含めてデータ電極用のショートバー３５とデータ電源用の電源基板３６とをＰＤＰ１０やトレイ３に対して着脱自在に構成する構造上、上方から下方に向かって垂設されている。
【００４１】
走査用電極把持部材３１は、それぞれが上下に昇降可能に構成された２つの板金３１ａ，３１ｂで構成されている。両板金３１ａ，３１ｂは、Ｌ字形で屈曲形成されている。
【００４２】
上側の板金３１ａの下面には、図５（ａ）に示すように、前面基板１１を上面から押さえる押さえ３１ｃが配設されており、下側の板金３１ｂの上面には、走査電極用のショートバー３２が配設されている。押さえ３１ｃには、ゴムなどに代表される弾性体で形成されている。
【００４３】
かかる構成を有する走査用電極把持部材３１は２組分配設されているとともに、各組の走査用電極把持部材３１が互いに対向するように配設されている。各走査用電極把持部材３１の板金３１ｂの上面にそれぞれ配設された走査電極用のショートバー３２も互いに対向するように配設されている。
【００４４】
図５（ａ）に示す下側の板金３１ｂに沿わせたケーブル（図示省略）、あるいは板金３１ｂ自体を走査電極用のショートバー３２および走査電源用の電源基板３３に電気的に接続させる。これによって、ケーブルあるいは板金３１ｂを介して、走査電極用のショートバー３２と走査電源用の電源基板３３とを電気的に接続させる。
【００４５】
データ用電極把持部材３４は、走査用電極把持部材３１と同様に、それぞれが上下に昇降可能に構成された２つの板金３４ａ，３４ｂで構成されており、両板金３４ａ，３４ｂはＬ字形で屈曲形成されている。上述したように、データ用電極把持部材３４は上方から下方に向かって垂設される構造上、走査用電極把持部材３１の両板金３１ａ，３１ｂを上下逆にした形態で、両板金３４ａ，３４ｂは配設されている。
【００４６】
上側の板金３４ａの下面には、図４、図５（ｂ）に示すように、データ電極用のショートバー３５が配設されており、下側の板金３４ｂの上面には、背面基板１２を下面から押さえる押さえ３４ｃが配設されている。押さえ３４ｃは、押さえ３１ｃと同様に弾性体で形成されている。
【００４７】
かかる構成を有するデータ用電極把持部材３４は２組分配設されているとともに、各組のデータ用電極把持部材３４が互いに対向するように配設されている。各データ用電極把持部材３４の板金３４ａの下面にそれぞれ配設されたデータ電極用のショートバー３５も互いに対向するように配設されている。
【００４８】
図４、図５（ｂ）に示す上側の板金３４ａに沿わせたケーブル（図示省略）、あるいは板金３４ａ自体をデータ電極用のショートバー３５およびデータ電源用の電源基板３６に電気的に接続させる。これによって、ケーブルあるいは板金３４ａを介して、データ電極用のショートバー３５とデータ電源用の電源基板３６とを電気的に接続させる。
【００４９】
また、データ用電極把持部材３４、データ電極用のショートバー３５、データ電源用の電源基板３６は、図４（ａ）、図４（ｂ）中の矢印の方向に、上下に昇降および水平方向に移動可能に構成されている。検査処理時には、データ用電極把持部材３４、データ電極用のショートバー３５、データ電源用の電源基板３６を図４（ａ）中の矢印の方向に移動して下降させて、図４（ａ）に示すようにＰＤＰ１０やトレイ３に取り付ける。エージング処理時には、データ用電極把持部材３４、データ電極用のショートバー３５、データ電源用の電源基板３６を図４（ｂ）中の矢印の方向に移動して上昇させて、図４（ｂ）に示すようにＰＤＰ１０やトレイ３から外す。
【００５０】
次に、検査処理を含んだ一連のエージング処理について、図６を参照して説明する。
【００５１】
（ステップＳ１）ＰＤＰの搬入
ＰＤＰ１０を搬入する。搬入時に、空になったトレイ３を搬入位置にまでベルトコンベア４が移動させる。
【００５２】
（ステップＳ２）トレイへの取り付け
搬入されたＰＤＰ１０を空になったトレイ３に載置する。データ用電極把持部材３４、データ電極用のショートバー３５、データ電源用の電源基板３６を水平移動・下降させる。ＰＤＰ１０の位置に近接させて、データ用電極把持部材３４で背面基板１２をクランプ支持する。具体的には、下側の板金３４ｂを上昇させることで押さえ３４ｃが背面基板１２を下面から押さえ、上側の板金３４ａを下降させることでショートバー３５が背面基板１２を上面に当接して、ショートバー３５とデータ電極１４とが電気的に接続される。これによって、データ用電極把持部材３４、データ電極用のショートバー３５、データ電源用の電源基板３６をＰＤＰ１０、ひいてはトレイ３に取り付ける（図４（ａ）を参照）。
【００５３】
一方、トレイ３内に固定して備えられた走査用電極把持部材３１で前面基板１１をクランプ支持する。具体的には、上側の板金３１ａを下降させることで押さえ３１ｃが前面基板１１を上面から押さえ、下側の板金３１ｂを上昇させることで走査電極用のショートバー３２が前面基板１１を下面に当接して、ショートバー３２と走査電極１３とが電気的に接続される。
【００５４】
（ステップＳ３）処理位置まで移動
両把持部材３１，３４が各基板１１，１２をクランプ支持した状態で、処理位置２ａにベルトコンベア４がＰＤＰ１０とともにトレイ３を移動させる。
【００５５】
（ステップＳ４）エージング処理前の検査処理
走査用電源の電源基板３３から走査電極用のショートバー３２を介して走査電極１３に電圧を印加するとともに、データ電源用の電源基板３６からデータ電極用のショートバー３５を介してデータ電極１４に電圧を印加して、パネルの暗点や、走査電極１３あるいはデータ電極１４の断線をチェックする検査処理を行う。
【００５６】
（ステップＳ５）トレイから外す
エージング処理前の検査処理が終了すれば、データ用電極把持部材３４による背面基板１２のクランプ支持を開放する。具体的には、下側の板金３４ｂを下降させることで押さえ３４ｃが背面基板１２から離れ、上側の板金３４ａを上昇させることでデータ電極用のショートバー３５が背面基板１２から離れて、ショートバー３５が電気的に開放される。そして、データ用電極把持部材３４、データ電極用のショートバー３５、データ電源用の電源基板３６を水平移動・上昇させる。これによって、データ用電極把持部材３４、データ電極用のショートバー３５、データ電源用の電源基板３６をＰＤＰ１０、ひいてはトレイ３から外す（図４（ｂ）を参照）。走査用電極把持部材３１による前面基板１１のクランプ支持については、ステップＳ１１のエージング処理後の検査処理が終了するまで、継続させる。
【００５７】
（ステップＳ６）エージング処理部まで移動
トレイ３から外したデータ用電極把持部材３４、データ電極用のショートバー３５、データ電源用の電源基板３６を、検査処理部２に残して、エージング処理部１までベルトコンベア４が検査処理終了後のＰＤＰ１０とともにトレイ３を移動させる。
【００５８】
（ステップＳ７）エージング処理
エージング処理部１内のマニピュレータ５がトレイ３をＰＤＰ１０とともに受け取る。空になったエージング処理部１のラックまでマニピュレータ５がＰＤＰ１０とともにトレイ３を移動させる。ラックへのＰＤＰ１０の受け渡しが終了すれば、走査用電源の電源基板３３から走査電極用のショートバー３２を介して走査電極１３に電圧を印加して、ＰＤＰ１０のエージング処理を行う。
【００５９】
（ステップＳ８）エージング処理部から移動
エージング処理が終了すれば、マニピュレータ５がエージング処理終了後のＰＤＰ１０とともにトレイ３を移動させて、ベルトコンベア４にトレイ３をＰＤＰとともに渡す。
【００６０】
（ステップＳ９）トレイへの取り付け
ステップＳ２のトレイへの取り付けと同じ要領でデータ用電極把持部材３４、データ電極用のショートバー３５、データ電源用の電源基板３６をＰＤＰ１０やトレイ３に取り付ける（図４（ａ）を参照）。
【００６１】
（ステップＳ１０）処理位置まで移動
両把持部材３１，３４が各基板１１，１２をクランプ支持した状態で、処理位置２ｂにベルトコンベア４がＰＤＰ１０とともにトレイ３を移動させる。
【００６２】
（ステップＳ１１）エージング処理後の検査処理
走査用電源の電源基板３３から走査電極用のショートバー３２を介して走査電極１３に電圧を印加するとともに、データ電源用の電源基板３６からデータ電極用のショートバー３５を介してデータ電極１４に電圧を印加して、検査処理を行う。
【００６３】
（ステップＳ１２）トレイから外す
エージング処理後の検査処理が終了すれば、ステップＳ５のトレイから外すのと同じ要領でデータ用電極把持部材３４、データ電極用のショートバー３５、データ電源用の電源基板３６をＰＤＰ１０やトレイ３から外す（図４（ｂ）を参照）。このとき、走査用電極把持部材３１による前面基板１１のクランプ支持も開放する。具体的には、上側の板金３１ａを上昇させることで押さえ３１ｃが前面基板１１から離れ、下側の板金３１ｂを下降させることで走査電極用のショートバー３２が前面基板１１から離れて、ショートバー３２が電気的に開放される。
【００６４】
（ステップＳ１３）搬出位置まで移動
トレイ３から外したデータ用電極把持部材３４、データ電極用のショートバー３５、データ電源用の電源基板３６を、検査処理部２に残して、搬出位置までベルトコンベア４が検査処理終了後のＰＤＰ１０とともにトレイ３を移動させる。
【００６５】
（ステップＳ１４）ＰＤＰの搬出
ＰＤＰ１０を搬出する。ＰＤＰ１０を搬出して空になったトレイ３をベルトコンベア４は循環させて、次にエージング処理前の検査処理を行うＰＤＰ１０の搬出位置にまでトレイ３を移動させる。
【００６６】
上述の構成を有する実施例装置によれば、トレイ移動手段であるベルトコンベア４およびマニピュレータ５は、ＰＤＰ１０を載置するトレイ３を移動させて、エージング処理および検査処理をそれぞれ行う。各トレイ３は、エージング処理において全面を点灯させる走査電極１３に電気的に接続された走査用電極把持部材３１、走査電極用のショートバー３２、走査電源用の電源基板３３を固定して備え、検査処理において指定された領域を点灯させるデータ電極１４に電気的に接続されたデータ用電極把持部材３４、データ電極用のショートバー３５、データ電源用の電源基板３６をＰＤＰ１０、ひいてはトレイ３に対して着脱自在にそれぞれ構成している。そして、データ電極１４への電圧の印加が必須である検査処理ではデータ用電極把持部材３４、データ電極用のショートバー３５、データ電源用の電源基板３６をＰＤＰ１０やトレイ３に取り付けてデータ電極１４に電気的に接続して行い、データ電極１４への電圧の印加が必須でないエージング処理ではデータ用電極把持部材３４、データ電極用のショートバー３５、データ電源用の電源基板３６をＰＤＰ１０やトレイ３から外して行うように構成している。したがって、全てのトレイ３にデータ用電極把持部材３４、データ電極用のショートバー３５、データ電源用の電源基板３６を備える必要がなく、検査処理のときのみデータ用電極把持部材３４、データ電極用のショートバー３５、データ電源用の電源基板３６を取り付ければよい。その結果、データ用電極把持部材３４、データ電極用のショートバー３５、データ電源用の電源基板３６を省略することができて、その省略分だけ装置の構造を簡易にすることができる。
【００６７】
また、後述する変形例（１）のように（図７を参照）、データ電源用の電源基板３６のみをトレイ３に対して着脱自在に構成し、データ用電極把持部材３４およびデータ電極用のショートバー３５をトレイ３に固定して備えている場合と相違して、本実施例では、データ用電極把持部材３４、ショートバー３５、電源基板３６を全てトレイ３に対して着脱自在に構成している。したがって、データ用電極把持部材３４、ショートバー３５、電源基板３６を全て省略することができて、変形例（１）と比較すると装置の構造をより簡易にすることができる。
【００６８】
本発明は、上記実施形態に限られることはなく、下記のように変形実施することができる。
【００６９】
（１）上述した実施例では、データ用電極把持部材３４、データ電極用のショートバー３５、データ電源用の電源基板３６をトレイ３に対して着脱自在に構成したが、図７に示すように、データ電源用の電源基板３６のみをトレイ３に対して着脱自在に構成し、データ用電極把持部材３４およびデータ電極用のショートバー３５をトレイ３に固定して備えてもよい。この場合には、電源基板３６とショートバー３５との間にケーブル３７を介在させる。そして、ショートバー３５側のケーブル３７と電源基板３６側のケーブル３７とをスプリングコンタクト３８を介して電気的に接続させる。エージング処理時には、スプリングコンタクト３８によって電源基板３６側のケーブル３７の接続を解除することで電源基板３６のみをトレイ３から外し、検査処理時には、スプリングコンタクト３８によって電源基板３６側のケーブル３７の接続を行うことで電源基板３６をトレイ３に取り付ける。
【００７０】
このように構成する場合には、データ用電極把持部材３４、ショートバー３５をトレイ３に固定した状態でエージング処理や検査処理をそれぞれ行うことになる。したがって、エージング処理時にはデータ電源がない状態でデータ用電極把持部材３４、ショートバー３５がトレイ３に固定されているので、データ電源のような信号電源とは相違した所定の値を有する電圧（例えば接地電位や走査電圧の半分の値の電圧）を、データ用電極把持部材３４、ショートバー３５を介してデータ電極１４に強制的にバイアスすることができる。図７の場合には、データ用電極把持部材３４は、図５（ａ）に示す走査用電極把持部材３１と同様に、下方から上方に向かって垂設されている。
【００７１】
（２）上述した実施例では、エージング処理前に検査処理を行うとともに、エージング処理後に検査処理を再度に行うという一般的な処理であったが、エージング処理前または後の少なくともいずれかで検査処理を行えばよい。例えばエージング処理前にのみに検査処理を行ってもよいし、エージング処理後にのみに検査処理を行ってもよい。
【００７２】
（３）本発明は、ＡＣ（交流）型ＰＤＰに適用してもよいし、ＤＣ（直流）型ＰＤＰに適用してもよい。ＡＣ型ＰＤＰの場合には電源基板は交流電源用になり、ＤＣ型ＰＤＰの場合には電源基板は直流用電源用になる。
【００７３】
（４）本発明は、面放電型のＰＤＰに適用してもよいし、対向放電型のＰＤＰに適用してもよい。面放電型のＰＤＰの場合には、上述した実施例のようにＸ電極１３ａ，Ｙ電極１３ｂ（図２を参照）を同じ前面基板１１上で形成して、同一面内で放電が発生する構造となり、対向放電型のＰＤＰの場合には、前面基板にＸ電極を、背面基板にＹ電極をそれぞれ形成して、前面基板・背面基板間で放電が発生する構造となる。
【００７４】
（５）本発明は、反射型ＰＤＰに適用してもよいし、透過型ＰＤＰに適用してもよい。反射型ＰＤＰの場合には、プラズマ放電によって発生された可視光をＰＤＰの表面に透過させて、ＰＤＰの表面（上面）から点灯を確認する構造となり、透過型ＰＤＰの場合には、プラズマ放電によって発生された可視光をＰＤＰの裏面にそのまま透過させて、ＰＤＰの裏面（下面）から点灯を確認する構造となる。
【００７５】
（６）本発明が適用できるパネルについては、複数枚の基板を貼り合わせて形成され、貼り合わされた基板のすきまに配設された蛍光体から発光させて点灯させる平面型ディスプレイパネルであれば、特に限定されない。例えば、上述した非特許文献１のように、無機ＥＬ（Electro Luminescence）や表面伝導素子のような平面型ディスプレイパネルにも本発明は適用することができる。
【図面の簡単な説明】
【００７６】
【図１】実施例に係るプラズマディスプレイパネル（ＰＤＰ）の点灯安定化処理装置（エージング処理装置）のブロック図である。
【図２】ＰＤＰの各電極を模式的に示した平面図である。
【図３】ＰＤＰを載置するトレイの概略斜視図である。
【図４】（ａ）、（ｂ）は、データ用電極把持部材、データ電極用のショートバー、データ電源用の電源基板の着脱状態を示す断面図である。
【図５】（ａ）は、走査用電極把持部材を拡大した断面図であり、（ｂ）は、データ用電極把持部材を拡大した断面図である。
【図６】検査処理を含んだ一連のエージング処理を示すフローチャートである。
【図７】変形例に係るトレイの断面図である。
【符号の説明】
【００７７】
１  …  エージング処理部
２  …  検査処理部
３  …  トレイ
４  …  ベルトコンベア
５  …  マニピュレータ
１０  …  プラズマディスプレイパネル（ＰＤＰ）
１１  …  前面基板
１２  …  背面基板
１３  …  走査電極
１４  …  データ電極
３１  …  走査用電極把持部材
３２  …  走査電極用のショートバー
３３  …  走査電源用の電源基板
３４  …  データ用電極把持部材
３５  …  データ電極用のショートバー
３６  …  データ電源用の電源基板
【図１】
2006127827.tif 000003
【図２】
2006127827.tif 000004
【図３】
2006127827.tif 000005
【図４】
2006127827.tif 000006
【図５】
2006127827.tif 000007
【図６】
2006127827.tif 000008
【図７】
2006127827.tif 000009